(57)【特許請求の範囲】
【請求項１】
左右の支持脚の上面に天板の下面両側部を載置するとともに、天板の後端部の下方空間に配線ダクトを形成した机における前記支持脚の上部の後端角部に設けた切欠部に上方から被せられるカバー部材であって、
支持脚における前記切欠部の前部に嵌合しうる前部と、前記切欠部の後部に嵌合しうる後部と、前記前部と後部とを連結する中間部とを有し、前記後部に、机上配設部材を支持する脚柱を挿入しうる、上面が開口する取付孔を設け、かつ前記中間部の上面に、前記配線ダクト内のコードを机の側方に引き出すための、上面及び両側面が開口する凹溝を設けたことを特徴とする机の支持脚におけるカバー部材。
【請求項２】
取付孔の開口する上面を、着脱自在な上面カバーにより塞いだ請求項１記載の机の支持脚におけるカバー部材。
【請求項３】
取付孔を内側面に開口させるとともに、この内側の開口面を、上面カバーの内側の端面に当接させることにより、上面カバーが内側に抜け出すのを阻止する阻止部を具備する内側面カバーにより着脱自在に塞いだ請求項２記載の机の支持脚におけるカバー部材。
【請求項４】
内側面カバーの裏面に、取付孔の上面から外した上面カバーを保持する保持手段を設けた請求項３記載の机の支持脚におけるカバー部材。
【請求項５】
保持手段が、上面カバーを把持する１対の把持片を備えている請求項４記載の机の支持脚におけるカバー部材。
【発明の詳細な説明】
【０００１】
【発明の属する技術分野】
本発明は、机における支持脚の上部の後端部を覆うカバー部材に関する。
【０００２】
【従来の技術】
天板の後下方空間に配線ダクトを形成するとともに、天板上に、いわゆるデスクトップパネルや棚、または照明器具等の机上配設部材を取り付けるようにした机の従来例としては、特開平５−２２８０２７号公報に記載されたものがある。
【０００３】
この机は、左右に並んだ支持脚の上面に、天板を、支持脚の後端部を避けるようにして載置して、支持脚の後端部間に配線ダクトを形成するとともに、この配線ダクトの上面をダクトカバーで覆い、かつ支持脚の上部の後端角部に合成樹脂製のカバー部材を取り付けたものである。
【０００４】
このカバー部材には、上下方向に貫通する取付孔が穿設され、取付孔の上面開口部は、常時は上面カバーにより閉塞されている。
取付孔の上面から上面カバーを取り外して、取付孔にデスクトップパネルの下面に突設された下向きの脚部を挿入し、脚部を取付孔の内部に固定することにより、机の上面の後縁部にデスクトップパネルが取り付けられている。
【０００５】
【発明が解決しようとする課題】
しかし、上記の机では、配線ダクト内のコードを机の外部に引き出す場合に、ダクトカバーに穿設され、かつ常時は蓋体によって閉塞されている引出孔から蓋体を取り除いた後に、配線ダクト内のコードを、引出孔から机の上方に引き出す必要があるので、配線ダクト内のコードの引き出し作業が面倒である。
特に、複数の机の側面同士を接合して、コードを互いの配線ダクトへ通す場合には、その作業が甚だ面倒になる。
【０００６】
また、机の上面にコードが露出するので、机の体裁が損なわれる。
【０００７】
さらに、取付孔にデスクトップパネルの脚部を挿入する際には、上面カバーを取付孔から取り外して、上面カバーを保管しておく必要があるが、使用者の不注意等により、上面カバーを紛失してしまうことがある。
【０００８】
本発明は、従来の技術が有する上記のような問題点に鑑み、机上配設部材を支持する脚柱等を挿通しうる取付孔を有するとともに、配線ダクト内のコードを机の外部に簡単かつ体裁良く引き出すことができ、かつ、取付孔の上面を体裁よく閉塞することができ、しかも、上面カバーの紛失を防止しうるようにした、机の支持脚におけるカバー部材を提供することを目的としている。
【０００９】
【課題を解決するための手段】
本発明によると、上記課題は、次のようにして解決される。
（１）左右の支持脚の上面に天板の下面両側部を載置するとともに、天板の後端部の下方空間に配線ダクトを形成した机における前記支持脚の上部の後端角部に設けた切欠部に上方から被せられるカバー部材であって、支持脚における前記切欠部の前部に嵌合しうる前部と、前記切欠部の後部に嵌合しうる後部と、前記前部と後部とを連結する中間部とを有し、前記後部に、机上配設部材を支持する脚柱を挿入しうる、上面が開口する取付孔を設け、かつ前記中間部の上面に、前記配線ダクト内のコードを机の側方に引き出すための、上面及び両側面が開口する凹溝を設ける。
【００１０】
（２）上記(１)項において、取付孔の開口する上面を、着脱自在な上面カバーにより塞ぐ。
【００１１】
（３）上記(２)項において、取付孔を内側面に開口させるとともに、この内側の開口面を、上面カバーの内側の端面に当接させることにより、上面カバーが内側に抜け出すのを阻止する阻止部を具備する内側面カバーにより着脱自在に塞ぐ。
【００１２】
（４）上記(３)項において、内側面カバーの裏面に、取付孔の上面から外した上面カバーを保持する保持手段を設ける。
【００１３】
（５）上記(４)項において、保持手段が、上面カバーを把持する１対の把持片を備える。
【００１４】
【発明の実施の形態】
以下、本発明の一実施形態を備える机(１)について、添付図面を参照しながら説明する。
なお、以下の説明では、図１の右下側を「前方」、左上側を「後方」とする。
【００１５】
左右１対の支持脚(２)の上面には、平面視方形をなす天板(３)の両側部が、支持脚(２)の後端部を避けるようにして載置され、天板(３)の後端部は、図２〜図４に示す、支持脚(２)の後端部に固定されたブラケット(４)に、止めねじ(図示略)をもって固定されている。
【００１６】
左右の支持脚(２)は、金属板を折り曲げて成形した、中空で、前後方向に長い平面視長円形のものであり、支持脚(２)の上部の後端角部には切欠部(５)が形成されている(図２参照)。
支持脚(２)の内部には、前後方向を向く上向きコ字形断面の補強杆(６)と、上下方向を向く後向きコ字形断面の補強杆(７)とが固着され、支持脚(２)の内外側面における補強杆(７)の直後には、側面視方形の係止孔(８)が穿設されている。
【００１７】
支持脚(２)の後端部には、平面視内向コ字形をなす金属製の補強部材(９)の下半部が挿入され、支持脚(２)に溶接等により固着されている。
補強部材(９)の上半部の前後両面には、正面視方形をなす係止孔(10)が穿設されている。
【００１８】
(11)は、支持脚(２)の上部の後端部、及び補強部材(９)に上方から嵌合される合成樹脂製のカバー部材である。
カバー部材(11)は、支持脚(２)における切欠部(５)の前部に嵌合しうる前部(12)と、補強部材(９)及び切欠部(５)の後部に嵌合しうる後部(13)、及び前部(12)と後部(13)とを連結する中間部(14)とを有し、中間部(14)の上面には、側面視ほぼＵ字形をなして、上面と両側面とが開口する凹溝(15)が設けられている。
【００１９】
カバー部材(11)の前部(12)の前面と下面は開口しており、前部(12)における左右の側片(16)の内側面には、係止爪(17)が突設されている。
カバー部材(11)の後部(13)は、平面視内向きコ字形をなし、その内側部は、取付孔(18)となっている。取付孔(18)の上部内面には、平面視内向コ字形をなすコ字形突条(19)が設けられ、取付孔(18)の前と後の面には係止爪(20)が突設され、また、取付孔(18)の前面及び後面の内端部には、上下方向を向くとともに、中間部のやや下方に半円形の係合部(21)が突設された突条(22)が設けられている。
【００２０】
カバー部材(11)は、その前部(12)を、支持脚(２)における切欠部(５)の前部に被せて、係止爪(17)を係止孔(８)に弾性係合させるとともに、後部(13)を、補強部材(９)の上半部と切欠部(５)の後部とに被せて、その係止爪(20)を係止孔(10)に弾性係合させ、さらに、中間部(14)を切欠部(５)の中間部に被せることにより、支持脚(２)の上部の後端角部に強固に取り付けられる(図３参照)。
【００２１】
(23)と(24)は、それぞれ、取付孔(18)の上側と内側の開口面を閉塞するための上面カバーと内側面カバーである。
平面視方形をなす上面カバー(23)の下面の前後両縁部には、断面形が前後外向きのＬ字形をなす係合片(25)が設けられており、上面カバー(23)は、その係合片(25)と上面カバー(23)との間に形成された溝をコ字形突条(19)の前部及び後部に係合させることにより(図５参照)、取付孔(18)の上面開口に摺動自在に取り付けられる。
【００２２】
側面視方形をなすとともに、上縁部に外向き水平の阻止片(26)が設けられた内側面カバー(24)の裏面の前後両縁部にも、断面形が前後外向きのＬ字形をなす係合片(27)が設けられており、この係合片(27)の下端部には、前述した係合部(21)に弾性係合しうる半円形の凹部(28)が形成されている。内側面カバー(24)は、その係合片(27)と内側面カバー(24)との間に形成された溝を突条(22)に係合することにより(図６参照)、取付孔(18)の内側の開口面に摺動自在に取り付けられる。
【００２３】
図９に示すように、内側面カバー(24)の裏面の上下部中央には、取付孔(18)の上面から外した上面カバー(23)を、長手方向が上下方向を向くようにして保持しておく保持手段をなす１対の爪状の把持片(37)が設けられている。
【００２４】
上面カバー(23)を、取付孔(18)の上面開口に取り付けた後、内側面カバー(24)を、取付孔(18)の内側面開口に上方から取り付けると、凹部(28)が係合部(21)に弾性係合するので、内側面カバー(24)が突条(22)から外れることはなく、また、内側面カバー(24)の阻止部(26)の端面が、上面カバー(23)の内側の端面に当接するので、上面カバー(23)が内側に外れるのが防止される。
【００２５】
左右の支持脚(２)の後端面には、正面視横長方形をなす幕板(29)の前面の左右両側部が、図示を省略した止めねじにより固着されており、天板(３)の後端面、幕板(29)の前面、及び左右のカバー部材(11)により囲まれた空間には、平面視において左右方向に長い長方形をなす開口(30)が形成されている(図１参照)。
【００２６】
天板(３)の底面の後縁部と幕板(29)の前面の上端部との間には、４個のブロック状のダクト保持部材(31)が固着されており、隣り合うダクト保持部材(31)の下面と前後面とには、左右方向を向く樋状のダクト部材(32)の両端部が固着され、開口(30)の直下に配線ダクト(33)を形成している。
【００２７】
開口(30)は、その長さのほぼ半分の長さの２個のダクトカバー(34)によって閉塞されている。
ダクトカバー(34)の底部の前後２カ所には、ダクト保持部材(31)の上面に突設された前後１対の把持部(35)に弾性係合する係合溝(36)が形成されており、係合溝(36)を前後の把持部(35)に弾性係合させることにより、各ダクトカバー(34)は、開口(30)の右(左)半分を閉塞するようにして、ダクト保持部材(31)に取り付けられる。
【００２８】
なお、ダクト保持部材(31)、ダクト部材(32)、ダクトカバー(34)、及びこれらの取付構造等の詳細については、本出願人による特願平１１−９８４５６号の明細書及び図面を参照されたい。
【００２９】
図７及び図８に示すように、配線ダクト(33)に挿通したコード(Ａ)は、カバー部材(11)の凹溝(15)を利用することにより、机(１)の側方に簡単に引き出すことができ、また、コード(Ａ)が机(１)の上面に露出することがないので体裁もよい。
【００３０】
また、図示は省略したが、複数の机(１)を左右方向に並べて、コード(Ａ)を各机(１)の配線ダクト(33)に通す場合には、隣接する机(１)の凹溝(15)を利用することにより、コード(Ａ)を隣り合う机(１)の配線ダクト(33)に簡単に通すことができ、しかも、隣り合う机(１)の側面同士を密接させれば、コード(Ａ)が外部に全く露呈しなくなるので、体裁が極めてよくなる。
【００３１】
図９及び図１０は、カバー部材(11)から上面カバー(23)と内側面カバー(24)を取り外して、デスクトップパネルや棚等の机上配設部材（図示略）を支持する脚栓(38)を、カバー部材(11)の取付孔(18)に取り付ける状態を示している。
【００３２】
カバー部材(11)から上面カバー(23)を取り外すには、先ず、隣接するダクトカバー(34)をダクト保持部材(31)から取り外して、内側面カバー(24)をカバー部材(11)から取り外した後、上面カバー(23)をカバー部材(11)から取り外す(図９参照)。
【００３３】
この後、上面カバー(24)の両係合片(27)を、内側面カバー(24)の裏面の上下２カ所の把持片(37)に係合させて、上面カバー(23)を内側面カバー(24)の長手方向が上下方向を向くようにして保持し、その状態のまま、内側面カバー(24)を再びカバー部材(11)に取り付け、最後にダクトカバー(34)を開口(30)に戻す(図１０の状態)。
【００３４】
その後、カバー部材(11)の取付孔(18)に脚柱(38)を嵌合し、必要に応じて取付孔(18)の内部に固定し、その脚柱(38)の上部に、デスクトップパネルや棚等の机上配設部材を装着することができる。
【００３５】
このように、カバー部材(11)から取り外した上面カバー(23)を、内側面カバー(24)の裏面に取り付けておくことにより、上面カバー(23)の紛失を未然に防ぐことができる。
【００３６】
なお、取付孔(18)には、例えば、照明器具(図示略)の脚部等も取り付けることができる。
【００３７】
【発明の効果】
請求項１記載の発明によると、支持脚の上部の後端角部に被せられたカバー部材から、配線ダクト内のコードを、机の外部に簡単かつ体裁良く引き出すことができるとともに、カバー部材の取付孔に、デスクトップパネル等の机上配設部材を支持する脚柱を取り付けることができる。
【００３８】
請求項２記載の発明によると、デスクトップパネル等の不使用時には、取付孔の上面を上面カバーで覆うことができるので、机の美観を向上させることができる。
【００３９】
請求項３記載の発明によると、上面カバーを、取付孔の上面開口に取り付けた後、内側面カバーを、取付孔の内側の開口に取り付けると、内側面カバーの阻止部が、上部カバーの端面に当接するので、上部カバーが内側に外れるのを防止できる。
【００４０】
請求項４及び５記載の発明によると、カバー部材から取り外した上面カバーを、内側面カバーの裏面に保持させ、このままの状態で内側面カバーを取付孔の内側面に取り付けることにより、上面カバーの紛失を未然に防ぐことができる。
【図面の簡単な説明】
【図１】本発明の一実施形態を備える机の一部を分解した斜視図である。
【図２】同じく支持脚の後端部にカバー部材を装着する状態を示す、後方から見た拡大分解斜視図である。
【図３】同じく支持脚の後端部に装着したカバー部材に、上部カバーと内側面カバーとを取り付ける状態を示す、後方から見た拡大分解斜視図である。
【図４】同じくカバー部材に上部カバーと内側面カバーとを装着した状態を示す、後方から見た拡大斜視図である。
【図５】同じく図４のＶ−Ｖ線に沿う拡大縦断側面図である。
【図６】同じく図４のVI−VI線に沿う拡大横断平面図である。
【図７】同じく組立完了後の机の後端部を斜め前方から見た拡大斜視図である。
【図８】同じく図７のVIII−VIII線に沿う拡大縦断側面図である。
【図９】同じく組立完了後の机からダクトカバー、上部カバー、内側面カバーとを取り外した状態を示す、前方から見た机の後部コーナー部の拡大斜視図である。
【図１０】同じく上部カバーを内側面カバーの裏面に装着し、この内側面カバーをカバー部材に装着し、かつ取付孔に脚柱を嵌合するときの状態を示す前方から見た机の後部コーナー部の拡大斜視図である。
【符号の説明】
(１)机
(２)支持脚
(３)天板
(４)ブラケット
(５)切欠部
(６)(７)補強杆
(８)係止孔
(９)補強部材
(10)係止孔
(11)カバー部材
(12)前部
(13)後部
(14)中間部
(15)凹溝
(16)側片
(17)係止爪
(18)取付孔
(19)コ字形突条
(20)係止爪
(21)係合部
(22)突条
(23)上面カバー
(24)内側面カバー
(25)係合片
(26)阻止片
(27)係合片
(28)凹部
(29)幕板
(30)開口
(31)ダクト保持部材
(32)ダクト部材
(33)配線ダクト
(34)ダクトカバー
(35)把持部
(36)係合溝
(37)把持片（保持手段）
(38)脚柱
(Ａ)コード
【図１】
0004427130.tif 000002
【図２】
0004427130.tif 000003
【図３】
0004427130.tif 000004
【図４】
0004427130.tif 000005
【図５】
0004427130.tif 000006
【図６】
0004427130.tif 000007
【図７】
0004427130.tif 000008
【図８】
0004427130.tif 000009
【図９】
0004427130.tif 000010
【図１０】
0004427130.tif 000011